(57)【要約】【課題】壁面に貼り付けた後の糊残りの問題を起こすことがなく、壁面の平滑面における自由な位置で繰り返して配置可能であるとともに、１枚のシートから極めて簡単に構成可能な収納具を安価に提供する。【解決手段】糊剤を用いずに平滑面に密着し、繰り返し密着／剥離を行える１枚の矩形の透明シートを用意する。そのシートの所定の箇所に折り目や複数の切り込みを設ける。そのシートを折り目に沿って２つ折りにし、所定の切り込みにより形成された差込部を他の対応する切り込みに差し込むことで、薄片の収納具を作成する。印刷された用紙等を収納した収納具を平滑面に密着させて使用する。【選択図】図１
2007112454.tif 000002
【特許請求の範囲】
【請求項１】
一面が他の物体に付着可能な１枚のシートからなり、前記シートを、前記一面を外側に２つ折りにした時、前記物体に対向する第１部分と、
前記第１部分に重なる第２部分とを備え、
前記第１部分と前記第２部分との間に収納部が形成された収納具であって、
前記第２部分の両側端縁から所定幅を有し、下端縁から各側端縁に平行に所定長切り込まれてなる一対の差込部と、
前記第１部分に形成され、前記差込部が差し込まれる一対の第１被差込部とを設け、
前記差込部を前記第１被差込部に差し込むことで前記収納部の形状を維持しつつ、前記第１部分を前記物体に対し付着することを特徴とする収納具。
【請求項２】
一面が他の物体に付着可能な１枚のシートからなり、前記シートを、前記一面を外側に２つ折りにした時、前記物体に対向する第１部分と、
前記第１部分に重なる第２部分とを備え、
前記第１部分と前記第２部分との間に収納部が形成された収納具であって、
前記第２部分の下端縁から延出され、所定幅を有する一対の差込部と、
前記第１部分に対して前記差込部が差し込まれる一対の第１被差込部とを設け、
前記差込部を前記第１被差込部に差し込むことで前記収納部の形状を維持しつつ、前記第１部分を前記物体に対し付着することを特徴とする収納具。
【請求項３】
前記差込部には、その側端縁から延出し、前記第１被差込部周辺に引っ掛かる抜け防止部を備えていることを特徴とする請求項２に記載の収納具。
【請求項４】
前記一対の第１被差込部の近傍に一対の第２被差込部を設けたことを特徴とする請求項１乃至３に記載の収納具。
【請求項５】
一面が他の物体に付着可能な１枚のシートからなり、前記シートを、前記一面を外側に２つ折りにした時、前記物体に対向する第１部分と、
前記第１部分に重なる第２部分とを備え、
前記第１部分と前記第２部分との間に収納部が形成された収納具であって、
前記第２部分の両側端縁から下端縁に沿って各々延出され、所定幅を有する一対の差込部を設け、
前記差込部を前記第１部分と前記物体の間に差し入れることで前記収納部の形状を維持しつつ、前記第１部分を前記平滑面に対し付着することを特徴とする収納具。
【請求項６】
前記第２部分は透明であることを特徴とする請求項１乃至５に記載の収納具。
【請求項７】
前記第１部分は透明であることを特徴とする請求項６に記載の収納具。
【請求項８】
前記収納部は開口部を有していることを特徴とする請求項１乃至７に記載の収納具。
【請求項９】
前記第１部分と前記第２部分の境界線上に、折り目補助部を設けることを特徴とする請求項１乃至８に記載の収納具。
【請求項１０】
前記物体は平滑面を有し、また、前記付着は密着であり、前記シートの前記一面が平滑面に繰り返し密着及び剥離可能であって、前記第１部分を平滑面に対し密着することを特徴とする請求項１乃至９に記載の収納具。
【発明の詳細な説明】
【技術分野】
【０００１】
本発明は、壁面にて紙葉等の被収納物を収納可能な収納具に関し、特に、壁面を痛めずに、かつ、壁面の平滑面における自由な位置で繰り返して配置可能な収納具に関するものである。
【背景技術】
【０００２】
従来より、不透明、透明、または、半透明の主としてポリ塩化ビニル製の基材フィルムの一面に粘着剤層が形成されてなる装飾用粘着シートが知られている。この装飾用粘着シートは、装飾を施したい材料に粘着剤層を利用して貼り付け、上記基材フィルムの表面側の色や模様等により装飾効果を発揮させるものであり、近年、塗装に代わり、ラベルやステッカ類、広告や看板などのディスプレイ分野などに使われている。このような装飾用粘着シートがウィンドディスプレイや屋内の表示、あるいは、短期的に貼り替えるような屋外の看板に使用される場合、再剥離性が要求されるが、再剥離時に糊残りが発生し易いという問題があった。この問題を解決するために、従来の粘着シートの再剥離性の粘着層に代わって、平滑面に貼り付けることが可能な密着層を基材フィルム上に設けることで、糊残りの問題を解決したフィルムが提案されている（例えば、特許文献１参照）。
【特許文献１】特開２００４−５９８００号公報
【発明の開示】
【発明が解決しようとする課題】
【０００３】
しかしながら、上述した特許文献１に記載のシートでは、シートに直接印刷をして使用するため、印刷内容が変わる毎に、新しい内容が印刷されたシートを作成しなければならず、シート自体高価な物であるため、その使用枚数が増えてコストが掛かる。また、誤った印刷のシートや古い印刷内容のシートは、印刷内容によっては再利用が可能となるが、再利用されるシートは一部に過ぎず、大半のシートは再利用できずに廃棄することになり、コストを助長する。
【０００４】
紙葉等の被収納物を収納する収納具であって糊残りがなく、再剥離可能な特徴を有しながら、壁面に取り付けることができる収納具については、従来提案がなされていない。
【０００５】
そこで、本発明は、上述した問題点を解決するためになされたものであり、壁面に貼り付けた後の糊残りの問題を起こすことがなく、壁面の平滑面における自由な位置で繰り返して配置可能であるとともに、１枚のシートから極めて簡単に構成可能な収納具を安価に提供することを目的とする。
【課題を解決するための手段】
【０００６】
前記目的を達成するため請求項１に係る収納具は、一面が他の物体に付着可能な１枚のシートからなり、前記シートを、前記一面を外側に２つ折りにした時、前記物体に対向する第１部分と、前記第１部分に重なる第２部分とを備え、前記第１部分と前記第２部分との間に収納部が形成された収納具であって、前記第２部分の両側端縁から所定幅を有し、下端縁から各側端縁に平行に所定長切り込まれてなる一対の差込部と、前記第１部分に形成され、前記差込部が差し込まれる一対の第１被差込部とを設け、前記差込部を前記第１被差込部に差し込むことで前記収納部の形状を維持しつつ、前記第１部分を前記物体に対し付着することを特徴とする。
【０００７】
また、請求項２に係る収納具は、一面が他の物体に付着可能な１枚のシートからなり、前記シートを、前記一面を外側に２つ折りにした時、前記物体に対向する第１部分と、前記第１部分に重なる第２部分とを備え、前記第１部分と前記第２部分との間に収納部が形成された収納具であって、前記第２部分の下端縁から延出され、所定幅を有する一対の差込部と、前記第１部分に対して前記差込部が差し込まれる一対の第１被差込部とを設け、前記差込部を前記第１被差込部に差し込むことで前記収納部の形状を維持しつつ、前記第１部分を前記物体に対し付着することを特徴とする。
【０００８】
また、請求項３に係る収納具は、請求項２に記載の収納具において、前記差込部には、その側端縁から延出し、前記第１被差込部周辺に引っ掛かる抜け防止部を備えていることを特徴とする。
【０００９】
また、請求項４に係る収納具は、請求項１乃至３に記載の収納具において、前記一対の第１被差込部の近傍に一対の第２被差込部を設けたことを特徴とする。
【００１０】
また、請求項５に係る収納具は、一面が他の物体に付着可能な１枚のシートからなり、前記シートを、前記一面を外側に２つ折りにした時、前記物体に対向する第１部分と、前記第１部分に重なる第２部分とを備え、前記第１部分と前記第２部分との間に収納部が形成された収納具であって、前記第２部分の両側端縁から下端縁に沿って各々延出され、所定幅を有する一対の差込部を設け、前記差込部を前記第１部分と前記物体の間に差し入れることで前記収納部の形状を維持しつつ、前記第１部分を前記物体に対し密着することを特徴とする。
【００１１】
また、請求項６に係る収納具は、請求項１乃至５に記載の収納具において、前記第２部分は透明であることを特徴とする。
【００１２】
また、請求項７に係る収納具は、請求項６に記載の収納具において、前記第１部分は透明であることを特徴とする。
【００１３】
また、請求項８に係る収納具は、請求項１乃至７に記載の収納具において、前記収納部は開口部を有していることを特徴とする。
【００１４】
また、請求項９に係る収納具は、請求項１乃至８に記載の収納具において、前記第１部分と前記第２部分の境界線上に、折り目補助部を設けることを特徴とする。
【００１５】
また、請求項１０に係る収納具は、請求項１乃至９に記載の収納具において、前記物体は平滑面を有し、また、前記付着は密着であり、前記シートの前記一面が平滑面に繰り返し密着及び剥離可能であって、前記第１部分を平滑面に対し密着することを特徴とする。
【発明の効果】
【００１６】
請求項１に係る収納具では、他の物体に付着可能な面を備えた１枚のシートを２つ折りにし、シート間にできる収納部の形状を、第２部分に設けた一対の差込部を第１部分に設けた一対の第１被差込部に差し込むことで維持している。
【００１７】
これにより、壁面の自由な位置へ配置可能であると共に、１枚のシートから極めて簡単に構成可能な収納具を提供することができる。
【００１８】
また、請求項２に係る収納具では、他の物体に付着可能な面を備えた１枚のシートを２つ折りにし、シート間にできる収納部の形状を、第２部分に設けた一対の差込部を第１部分に設けた一対の第１被差込部に差し込むことで維持している。
【００１９】
これにより、壁面の自由な位置へ配置可能であると共に、１枚のシートから極めて簡単に構成可能な収納具を提供することができる。
【００２０】
また、請求項３に係る収納具では、差込部に設けた抜け防止部が第１被差込部周辺に引っ掛かり、第１被差込部から差込部が抜けてこない。
【００２１】
これにより、差込部を第１被差込部に強固に繋ぎ止めることができ、収納部の形状をさらによく維持することができる。
【００２２】
また、請求項４に係る収納具では、第２部分に設けた一対の差込部は、第１部分に設けた一対の第１被差込部に差し込むことに加え、第１被差込部近傍に設けられた一対の第２被差込部に差し込まれて収納部の形状を維持している。
【００２３】
これにより、差込部を第１部分に対し強固に繋ぎ止めることができ、収納部の形状をさらによく維持することができる。
【００２４】
また、請求項５に係る収納具では、他の物体に付着可能な面を備えた１枚のシートを２つ折りにし、シート間にできる収納部の形状を、第２部分に設けた一対の差込部を第１部分と他の物体との間に差し入れることで維持している。
【００２５】
これにより、壁面の自由な位置へ配置可能であると共に、１枚のシートから極めて簡単に構成可能な収納具を提供することができる。
【００２６】
また、請求項６に係る収納具では、第２部分は透明である。
【００２７】
これにより、収納具に収納した被収納物を外側から見ることができる。
【００２８】
また、請求項７に係る収納具では、第１部分は透明である。
【００２９】
これにより、収納具に何も収納していない時に、他の物体に貼り付けた収納具を通して他の物体を見ることができる。
【００３０】
また、請求項８に係る収納具では、収納部は開口部を有している。
【００３１】
これにより、収納具を他の物体に貼り付けた状態で被収納物を出し入れできる。
【００３２】
また、請求項９に係る収納具では、第１部分と第２部分の境界線上に、折り目補助部を設けている。
【００３３】
これにより、シートを容易に折り曲げることができる。
【００３４】
また、請求項１０に係る収納具では、他の物体の平滑面に繰り返し密着及び剥離可能である。
【００３５】
これにより、壁面の平滑面における自由な位置で繰り返して配置可能である。
【発明を実施するための最良の形態】
【００３６】
以下、本発明に係る収納具について、具体化した第１乃至第４実施形態に基づいて詳細に説明する。
【００３７】
先ず、第１実施形態に係る収納具１を構成する密着性のシート２について説明する。シート２には、フジコピアン株式会社のＦＩＸＦＩＬｍ（登録商標）を使用する。ＦＩＸＦＩＬｍ（登録商標）は、貼り付けようとしている面が平滑面でありさえすれば、ガラス、金属、プラスチック、石等様々な素材に対して密着し、また、繰り返しの密着及び剥離が可能であり、粘着剤を用いないので剥がした跡にも、糊残りが生じないという性質を有している。尚、ＦＩＸＦＩＬｍ（登録商標）には、様々なタイプがあり、本実施形態では特に印刷用で透明なＦＩＸＦＩＬＭ−ＰＴＧを使用する。
【００３８】
これは４層構造をなしており、表面から印刷受像層、ポリエステルフィルム、ＦＩＸ層、セパレータとなっている。印刷受像層は、オフセット印刷、スクリーン印刷、凸版印刷等に対応した層であって、透明で０．５ミクロンメートルある。ポリエステルフィルムは、透明な層で５０ミクロンメートルある。ＦＩＸ層は、透明な層で２３ミクロンメートルある。セパレータは白色の防湿紙であって使用時には剥がされる。尚、本発明には、印刷受像層は無くとも構わない。
【００３９】
ＦＩＸＦＩＬｍ（登録商標）の特性値としては、垂直方向の保持力は、１平方センチあたり８７０ｇｆであり、水平方向の保持力は、１平方センチあたり９３０ｇｆである。また、剥離力は、２５ｍｍ幅あたり４．２ｇｆである。
【００４０】
次に、図１〜図４を参照して第１実施形態に係る収納具１を説明する。図１は、第１実施形態に係る収納具１であって内部に印刷物を収納した状態の外観図である。図２は、収納具１の展開図である。図３は、収納具１の平面図である。図４は、収納具１の側面図である。
【００４１】
図１に示すように、このＦＩＸＦＩＬｍ（登録商標）から作られる収納具１は概略としては、平らな構造であり、１枚のＦＩＸＦＩＬｍ（登録商標）からなるシート２を、ＦＩＸ層を外側にしながら図２中、一点鎖線で示す折り目２ａを下にして２つに折り畳み、その間に紙に印刷した印刷物または薄い小物等を挟み込むようになっている。また、ただ１枚のＦＩＸＦＩＬｍ（登録商標）を２つに折り畳んだだけでは、この折り畳んだ形状を維持できないので、後述するように両側縁部に設けた形状を保持するため一対の係止部３、４で形状を保持するようにしている。また、図１では、内部に印刷物５を挟み込んでおり、印刷物５は上部の一部を除き、収納具１に覆われている。使用時には、セパレータは剥離するのでＦＩＸＦＩＬｍ（登録商標）からなるシート２自体は透明であり、印刷物５は収納具１に覆われている／いないに拘わらず、印刷内容を読み取ることが可能である。また、収納具１の収納部は、上に開口しているので（以後、開口部６と称する）、印刷物５の出し入れが常時可能である。
【００４２】
平滑面に密着させて使用する時は、単に平滑面に収納具１の裏側を押し当てるだけでよい。垂直に立った平滑面に対しても収納具１は密着することができる。剥がす時は、吸盤を引き剥がす時のように、平滑面と密着している面の周縁部を持ち、裏返すように引っ張って引き剥がすようにする。尚、収納具１の表側もＦＩＸ層であるので、表側を平滑面に押し当てても使用できる。但し、この第１実施形態の収納具１の場合、シート２の下側の部分（以後、第２部分７と称する）がシート２の上側の部分（以後、第１部分８と称する）よりも狭いので、表側となる第２部分７は裏側となる第１部分８と比べて、その分密着力が弱い。何れの側を平滑面に押し当てるかは、使用者に任される。以後、便宜上面積の広い第１部分８を平滑面と密着させることとして説明する。
【００４３】
図２は、第１実施形態に係る収納具１の展開図であり、密着性のシート２のＦＩＸ層を裏側に、印刷受像層を表側にした状態を表す。シート２は矩形をしており、高さ方向の中心からやや下側に一点鎖線で示す折り目２ａとなる直線部分があり、その折り目２ａを境界とする上側半分が第１部分８、下側半分が第２部分７である。図２に示す通り、前述の折り目２ａとなる直線上には、シート２の側端縁９、１０からシート２の幅方向に内側に向かい所定長に渡って一対のミシン目１１、１２が形成されている。これは、折り目２ａに沿って折り曲げる時、折りやすくするために設けられている。ミシン目は、シート２の全幅に渡って形成してもよい。ミシン目でなく、例えば波線状の切り込みでもよい。また、微少な円、三角、星形等所定の形状で打ち抜いてもよい。シート２の厚み方向を突き抜けるように切断するのでなく、厚み方向の途中までの深さの溝を形成するハーフカットでもよい。
【００４４】
次に、シート２の第２部分７には、その両側端縁９、１０から所定距離だけ内側の位置に、下側の下端縁１３から各側端縁９、１０に平行に所定長の切り込み１４、１５が施され、それにより所定の幅を有する帯状の一対の差込部１６、１７が形成されている。また、シート２の第１部分８には、その各側端縁の略中間部分に、一定の間隔を開けて左右一対の切り込み１８〜２１が２つ設けられている。これらの切り込みは、切り込み１８と切り込み１９とが対をなし、切り込み２０と切り込み２１とが対をなしている。各切り込み１８〜２１は、各側端縁９、１０から内側に向かってシート２の上側の上端縁２２に平行に、前述した帯状の差込部１６、１７の幅と等しい長さの切り込みである。これら差込部１６、切り込み１８、２０により左側の係止部３を構成している。また、差込部１７、切り込み１９、２１により右側の係止部４を構成している。
【００４５】
切り込み１８と切り込み２０では、切り込み１８の方が切り込み２０よりも下側に位置している。また前述の折り目２ａから切り込み１８までの距離は、折り目２ａから切り込み１４における下端縁１３とは逆側の切り込み１４の始点までの距離よりも若干長い。そして、折り目２ａから切り込み２０までの距離は、折り目２ａから下端縁１３までの距離（言い換えれば、第２部分７の高さ）より短い。同様に、切り込み１９と切り込み２１では、切り込み１９の方が切り込み２１よりも下側に位置している。また折り目２ａから切り込み１９までの距離は、折り目２ａから切り込み１５における下端縁１３とは逆側の切り込み１５の始点までの距離よりも若干長い。そして、折り目２ａから切り込み２１までの距離は、折り目２ａから下端縁１３までの距離（言い換えれば、第２部分７の高さ）より短い。
【００４６】
次に、図３及び図４について説明する。図３、図４では、図２に示すシート２から収納具１を組み立てた状態を示しており、図３は平面図、図４は側面図を示している。組立方としては、先ず、ミシン目１１、１２に沿ってシート２を折り目２ａで２つ折りにする。この時、密着する面であるＦＩＸ層は外側に、密着しない印刷受像層は内側になるようにする。その後、差込部１６を切り込み１８に対して、第１部分８の表側から裏側に向かって差し込み、裏側に突出した部分を再度切り込み２０に対して、第１部分８の裏側から表側に向かって差し込む。それにより係止部３が形成され、差込部１６を第１部分８から外れないように保持する。
【００４７】
同様に、差込部１７を切り込み１９に対して、第１部分８の表側から裏側に向かって差し込み、裏側に突出した部分を再度切り込み２１に対して、第１部分８の裏側から表側に向かって差し込む。それにより係止部４が形成され、差込部１７を第１部分８から外れないように保持する。以上のように、係止部３、４において差込部１６、１７を第１部分８に保持することで、例え収納具１が垂直な平滑面に密着された時にも、第１部分８と第２部分７とが２つ折りになった状態を維持する。
【００４８】
尚、図５は、係止部４を拡大した平面図、図６は、係止部４を拡大した側面図である。図５及び図６に示すように、下側から上側に延びる差込部１７は、切り込み１９で、一旦第１部分８の裏側に潜り込み、切り込み２１で再び表側に現れていることが分かる。
【００４９】
本実施形態では、差込部１６が差し込まれる切り込みは、切り込み１８、２０の２箇所であるが、１箇所でもよい。数が増える程、差込部１６の保持力が大きくなるので、３箇所以上設けてもよい。同様に、差込部１７が差し込まれる切り込みも２箇所に拘わらず、１箇所でも、３箇所以上でも構わない。
【００５０】
ＦＩＸ層は、シート２の一方の面全体に有る必要はなく、第１部分８に相当する部分にのみ存在してもよい。
【００５１】
収納具として印刷物５を収納するだけなら、シート２は不透明でも構わない。第１実施形態では、シート２の全体が透明であるので、収納している印刷物５の印刷内容を外側から第２部分７を通して読み取ることができる他に、印刷物５の有無を確認することもできる。尚、印刷内容を読み取ったり、印刷物５の有無を確認したりするためには、第２部分７のみ透明であればよい。そのため、第２部分７が透明で、第１部分８が不透明という構成でもよい。但し、第２部分７が透明であることに加えて第１部分８まで透明であることには、収納部に何も収納されていない時に、収納具１を通して、収納具１が密着している平滑面を見ることができるというメリットがある。
【００５２】
第１実施形態に係る収納具１の使用例として、平滑面がガラス面であり、そのガラス面を備えた陳列棚に収納具１を、密着して貼り付けることが考えられる。収納具１が透明であれば、陳列棚に陳列してある物の状態を確認しやすくなる。その陳列棚には適当な湿度を保ったまま保温する機能が備わっており、小売店の店頭で肉まんを売るために使用されている陳列棚とする。肉まんは、陳列棚に長い時間入れておくと賞味期限が過ぎると味が劣ることになるので、賞味期限が過ぎた肉まんは商品として売れないことになる。その時間管理をするために、陳列棚に入れた時間を紙に書き、収納具１に収納する。紙に書き込めるので、専用の粘着テープに印刷したり、高価な密着性のシートに直接書き込んだりするのに比べ手軽である。
【００５３】
また、時間管理をする他にも、肉まんの原材料や宣伝文句等を纏めた小型の紙を肉まんの数だけ用意しておき、それを積層して収納具１に収納し、売れる度に１枚ずつ取り出しては客に渡してもよい。売り物の肉まんと小型の紙とを物理的に近くに持って来られることから作業の効率が上がる。
【００５４】
従来のシートでは、陳列棚に入っている肉まんの数だけ印刷済みのシートを作成しなければならず、コストが掛かるが、上記のように１つの収納具１に複数の印刷物５を収納すれば、収納具１が１つで済み安価である。
【００５５】
また、陳列棚に新しい肉まんを入れたり、賞味期限を越えたものを新しいものに交換したりする際には、陳列棚に入れた時間を印刷した印刷物を作成する必要がある。従来のシートを使用した場合、古い時間の印刷されたシートを陳列棚から剥がし、新たに時間を印刷したシートを作成して貼り付けなければならず、シートの使用枚数が増え、コストがアップする。さらに、古い時間の印刷されたシートを再利用できないため廃棄せざるを得ず、コストアップを助長する。
【００５６】
一方、上記収納具１であれば、収納具１から古い時間の書かれた紙（印刷物５）を取り出して、安価な紙に新しい時間を書き収納具１に収納するだけなので、高価な収納具１は交換する必要が無く、安価な紙のみ交換すればよいので、安価である。
【００５７】
また、シート２全体が透明であれば、収納具１が透明になり、収納具１内に印刷物５が収納されていないときには、収納具１とガラス面を通じて陳列棚の中を見ることができる。
【００５８】
第１実施形態に係る収納具１では、平滑面に繰り返し密着及び剥離可能な面を備えた１枚の密着性シート２を２つ折りにし、そのシート間に第１部分８と第２部分７との協働によってできる収納部の形状を、第２部分７に設けた一対の差込部１６、１７を第１部分８に設けた一対の切り込み１８、１９に差し込み係止部３、４を形成することで維持している。これにより、壁面の平滑面における自由な位置で繰り返して配置可能であると共に、１枚のシート２から極めて簡単に構成可能な収納具１を提供することができる。
【００５９】
また、係止部３、４において、第２部分に設けた一対の差込部１６、１７は、第１部分８に設けた一対の切り込み１８、１９に差し込むことに加え、切り込み１８、１９近傍に設けられた一対の切り込み２０、２１に差し込まれて収納部の形状を維持している。これにより、差込部１６、１７を第１部分８に対し強固に繋ぎ止めることができ、収納部の形状をさらによく維持することができる。
【００６０】
また、収納具１では、第２部分７は透明である。これにより、収納具１に収納した印刷物５を外側から見ることができる。
【００６１】
また、収納具１では、第１部分８は透明である。これにより、収納具１に何も収納していない時に、平滑面に貼り付けた収納具１を通して平滑面を見ることができる。
【００６２】
また、収納具１では、収納部は開口部６を有している。これにより、収納具１には平滑面に貼り付けた状態で印刷物５を出し入れできる。
【００６３】
また、収納具１では、第１部分７と第２部分８との境界である折り目２ａ上に、一対のミシン目１１、１２を設けている。これにより、シート２を折り目２ａで容易に折り曲げることができる。
【００６４】
次に、第２実施形態に係る収納具３０について説明する。これは、第１実施形態に示す収納具１と類似する形状をしている。そのため、第１実施形態に示した収納具１との違いについて重点的に説明する。尚、第１実施形態にない部分及び異なる部分の符号は新しく付与するが、第１実施形態と共通の部分については、第１実施形態で用いた符号をそのまま用いることにする。
【００６５】
第２実施形態に係る収納具３０を図７〜図９に基づいて説明する。図７は、第２実施形態に係る収納具３０の展開図である。図８は、第２実施形態に係る収納具３０の平面図である。図９は、第２実施形態に係る収納具３０の側面図である。
【００６６】
第２実施形態のシート３２も、高さ方向の中心からやや下側に一点鎖線で示す折り目３２ａとなる直線部分があり、その折り目３２ａを境界とする上側半分を第１部分８、下側半分を第２部分３１とする。
【００６７】
図７において、第１実施形態との違いは、第１実施形態では、第２部分７に切り込み１４、１５を入れることで差込部１６、１７を構成した（図２参照）が、第２実施形態では、シート３２の第２部分３１の下端縁３３の左右両端から、左右の側端縁９、１０に沿って一対の所定幅を有する帯状の差込部３４、３５を延出していることである。尚、差込部３４と差込部３５とでは延出している長さは等しい。第１実施形態におけるシート２の下端縁１３と折り目３２ａとの距離と、第２実施形態におけるシート３２の下端縁３３と折り目３２ａとの距離は異なり、第１実施形態の下端縁１３と折り目２ａとの距離の方が、第２実施形態の下端縁３３と折り目３２ａとの距離より長い。但し、第２実施形態の下端縁３３と折り目３２ａとの距離に、下端縁３３から差込部３４、３５が延出した長さとを足した値は、折り目と第１実施形態の下端縁１３との距離に等しい。また、第１実施形態における切り込み１４、１５の長さは、第２実施形態における差込部３４、３５が延出した長さに等しい。
【００６８】
換言すれば、第１実施形態におけるシート２の第２部分７において切り込み１４、１５に挟まれた部分を切除したシートが、第２実施形態におけるシート３２に相当する。そのため、組立方も、第１実施形態の時と同様で、第１実施形態における差込部１６を切り込み１８、２０に差し込み、差込部１７を切り込み１９、２１に差し込む代わりに、第２実施形態においては、差込部３４を切り込み１８、２０に差し込み、差込部３５を切り込み１９、２１に差し込む。
【００６９】
第２実施形態の収納具３０は、その組み立てた形状が、図８に示すように、第１実施形態の収納具１に比べて、収納部の深さが差込部３４、３５の長さ分、浅くなっている。
【００７０】
第２実施形態に係る収納具３０では、平滑面に繰り返し密着及び剥離可能な面を備えた１枚の密着性シート３２を折り目３２ａで２つ折りにし、そのシート間に第１部分８と第２部分３１との協働によってできる収納部の形状を、第２部分３１に設けた一対の差込部３４、３５を第１部分８に設けた一対の切り込み１８、１９に差し込むことで維持している。これにより、壁面の平滑面における自由な位置で繰り返して配置可能であると共に、１枚のシート３２から極めて簡単に構成可能な収納具３０を提供することができる。
【００７１】
また、第２部分３１に設けた一対の差込部３４、３５は、第１部分８に設けた一対の切り込み１８、１９に差し込むことに加え、切り込み１８、１９近傍に設けられた一対の切り込み２０、２１に差し込まれて収納部の形状を維持している。これにより、差込部３４、３５を第１部分８に対し強固に繋ぎ止めることができ、収納部の形状をさらによく維持することができる。
【００７２】
次に、第３実施形態に係る収納具４０について説明する。これは、第２実施形態に示す収納具３０と類似する形状をしている。そのため、第２実施形態に示した収納具３０との違いについて重点的に説明する。第２実施形態にない部分及び異なる部分の符号は新しく付与するが、第２実施形態と共通の部分については、第２実施形態で用いた符号をそのまま用いることにする。
【００７３】
第３実施形態に係る収納具４０を図１０及び図１１に基づいて説明する。図１０は、第３実施形態に係る収納具４０の展開図である。図１１は、第３実施形態に係る収納具４０の平面図である。
【００７４】
図１１に示すように、収納具４０を形成するシート４１の形状は、第２実施形態に示した収納具３０を形成するシート３２の形状と類似している。第２実施形態では、一対の差込部３４、３５がシート３２の下端縁３３から、シート３２の側端縁９、１０に沿って延出していたが、それに代わって、一対の帯状の差込部４２、４３がシート４１の下端縁３３から側端縁９、１０に平行に延出している。さらに、差込部４２、４３は、下端縁３３の両端から各々が若干離間した位置、言い換えれば、所定距離だけ内側に寄った位置に設けられている。差込部４２、４３の幅は、第２実施形態における差込部３４、３５の幅と同等の長さであり、同じ幅の区間が連続しているが、差込部４２、４３の先端部分は概略三角形状をしており、三角形の底辺は、連続する同一幅の区間と比べ幅広で左右に突出した形状をしている。この三角形状をした部分を抜け防止部と称している（後に詳述）。つまり、差込部４２、４３はそれぞれ抜け防止部４４、４５を備えていることになる。
【００７５】
一方、シート４１の第１部分８には、第１実施形態及び第２実施形態において第１部分８には側端縁９に達する切り込み１８、２０、及び側端縁１０に達する切り込み１９、２１が設けられていたのに代わり、側端縁９、１０から所定距離だけ内側に入った位置に一対の切り込み４６、４７が設けられている。これら切り込み４６、４７は、シート４１を図１０に示す一点鎖線で示す折り目４１ａにて２つ折りにした時、差込部４２、４３の先端の抜け防止部４４、４５と相対する位置に設けられ、抜け防止部４４、４５が差し込まれる部分であり、上端縁２２に平行で、帯状の差込部４２、４３の幅と等しい長さの切り込みである。抜け防止部４４、４５を切り込み４６、４７に差し込んだ後、引き抜こうとすると、抜け防止部４４、４５の横幅の最大幅（三角形状の底辺の長さに相当する）は、切り込み４６、４７の長さよりも大きいので、抜け防止部４４、４５が切り込み４６、４７の両端の外側のシート４１に引っ掛かり容易に抜けてくることがない。以上のように、抜け防止部４４、４５を介して差込部４２、４３を第１部分８に保持することで、例え収納具４０が垂直な平滑面に密着された時にも、第１部分８と第２部分３１とが２つ折りになった状態を維持する。
【００７６】
第３実施形態に係る収納具４０では、平滑面に繰り返し密着及び剥離可能な面を備えた１枚の密着性シート４１を折り目４１ａで２つ折りにし、そのシート間に第１部分８と第２部分３１との協働によってできる収納部の形状を、第２部分３１に設けた一対の差込部４２、４３を第１部分８に設けた一対の切り込み４６、４７に差し込むことで維持している。これにより、壁面の平滑面における自由な位置で繰り返して配置可能であると共に、１枚のシート４１から極めて簡単に構成可能な収納具４０を提供することができる。
【００７７】
次に、第４実施形態に係る収納具５０について説明する。これは、第２実施形態に示す収納具３０と類似する形状をしている。そのため、第２実施形態に示した収納具３０との違いについて重点的に説明する。第２実施形態にない部分及び異なる部分の符号は新しく付与するが、第２実施形態と共通の部分については、第２実施形態で用いた符号をそのまま用いることにする。
【００７８】
第４実施形態に係る収納具５０を図１２及び図１３に基づいて説明する。図１２は、第４実施形態に係る収納具５０の展開図である。図１３は、第４実施形態に係る収納具５０の平面図である。
【００７９】
図１２に示すように、収納具５０を形成するシート５１の形状は、第２実施形態に示した収納具３０を形成するシート３２の形状と類似している。第２実施形態では、一対の差込部３４、３５がシート３２の下端縁３３から、シート３２の側端縁９、１０に沿って延出していたが、第４実施形態のシート５１は、それに代わって、一対の帯状の差込部５２、５３がシート５１の左右端縁９、１０の下端から下端縁３３に沿って左右に延出している。差込部５２、５３の幅と長さは、第２実施形態における差込部３４、３５の幅と長さと同等である。
【００８０】
一方、シート５１の第１部分８には、第２実施形態においては、第１部分８に側端縁９に達する切り込み１８、２０、及び側端縁１０に達する切り込み１９、２１が設けられていたが第４実施形態では、切り込みは何も設けられていない。第４実施形態では、シート５１を図１２に一点鎖線で示す折り目５１ａで２つ折りにした後、差込部５２、５３をそれぞれの付け根で、図１３における収納具５０の裏側に折り返し、第１部分８と第１部分８の密着する平滑面とで挟み込む。それにより、第１部分８の平滑面に対する密着力により、差込部５２、５３は平滑面に押さえ付けられる。また、差込部５２、５３の平滑面に接する面もＦＩＸ層となっているので、それら自体も密着力を有し、平滑面に密着する。尚、差込部５２、５３は長い程平滑面と接する面積が大きくなり、密着力が大きくなる。また、差込部５２、５３の付け根部分に図２において、シート２を２つ折りにするために施したようなミシン目等を施して差込部５２、５３を折り曲げやすくしてもよい。以上のように、差込部５２、５３を第１部分８の裏側に折り返すことで、例え収納具５０が垂直な平滑面に密着された時でも、差込部５２、５３が第１部分８と平滑面とで挟み込まれ、さらにそれら自体が平滑面に密着するので、第１部分８と第２部分５１との２つ折りになった状態が維持される。
【００８１】
第４実施形態に係る収納具５０では、平滑面に繰り返し密着及び剥離可能な面を備えた１枚の密着性のシート５１を折り目５１ａで２つ折りにし、シート間に第１部分８と第２部分３１との協働によってできる収納部の形状を、第２部分３１に設けた一対の差込部５２、５３を第１部分８と平滑面とで挟み込むことと、差込部５２、５３自体が平滑面に密着することで維持している。これにより、壁面の平滑面における自由な位置で繰り返して配置可能であると共に、１枚のシート５１から極めて簡単に構成可能な収納具５０を提供することができる。
【００８２】
本発明は、以上に記載の実施形態のみに限定される訳ではなく、発明の趣旨を逸脱しない範囲で各種の変更を加えてもよい。
【００８３】
ＦＩＸＦＩＬｍ（登録商標）には、不透明なタイプもあるので、シート２、３２、４１、５１をそれで代用することも可能である。シート２、３２、４１、５１は、ＦＩＸＦＩＬｍ（登録商標）でなくとも、同様の平滑面に繰り返し密着及び剥離可能な性質を備えたシートであればよい。
【００８４】
また、シート２、３２、４１、５１は、ＦＩＸＦＩＬｍ（登録商標）のように平滑面に繰り返し密着及び剥離可能な性質を備えたシートであるばかりでなく、弱粘着の粘着層を有するシートであって、平滑面であるなしに拘わらず、壁面へ繰り返し粘着及び剥離可能な性質を備えたシートであってもよい。これによる収納具の場合は、弱粘着であるので糊残りは生じない。
【００８５】
さらには、シート２、３２、４１、５１は、通常の粘着力を有する粘着層を備えたシートであってもよい。これによる収納具の場合は、壁面の自由な場所に収納具を貼り付けることができる。
【図面の簡単な説明】
【００８６】
【図１】第１実施形態に係る収納具１であって内部に別のシートを収納した状態の外観図である。
【図２】収納具１の展開図である。
【図３】収納具１の平面図である。
【図４】収納具１の側面図である。
【図５】係止部４を拡大した平面図である。
【図６】係止部４を拡大した側面図である。
【図７】第２実施形態に係る収納具３０の展開図である。
【図８】収納具３０の平面図である。
【図９】収納具３０の側面図である。
【図１０】第３実施形態に係る収納具４０の展開図である。
【図１１】収納具４０の平面図である。
【図１２】第４実施形態に係る収納具５０の展開図である。
【図１３】収納具５０の平面図である。
【符号の説明】
【００８７】
１、３０、４０、５０    収納具
２、３２、４１、５１    シート
３、４    係止部
５    印刷物
６    開口部
７    第２部分
８、３１    第１部分
９、１０    側端縁
１１、１２    ミシン目
１３、３３    下端縁
１４、１５、１８、１９、２０、２１、４６、４７    切り込み
１６、１７、３４、３５、４２、４３、５２、５３    差込部
２２    上端縁
【図１】
2007112454.tif 000003
【図２】
2007112454.tif 000004
【図３】
2007112454.tif 000005
【図４】
2007112454.tif 000006
【図５】
2007112454.tif 000007
【図６】
2007112454.tif 000008
【図７】
2007112454.tif 000009
【図８】
2007112454.tif 000010
【図９】
2007112454.tif 000011
【図１０】
2007112454.tif 000012
【図１１】
2007112454.tif 000013
【図１２】
2007112454.tif 000014
【図１３】
2007112454.tif 000015